(57)【要約】      （修正有）【課題】第１及び第２の部材と当該第１、２の両部材を着脱自在に接続する継ぎ手とから成る薬剤塗布器具における第１、２の両部材を継ぎ手間の継ぎ手操作性と強度並びに耐久性を向上するとともに器具自体の利便性を向上する。【解決手段】先部に塗布剤の薬剤塗布部１１を設け、基端部１２に凹部１３を形成した第１の部材１と、先部に手で把持する把持部を設け、基端部２３に凹部２４を形成した第２の部材２と、第１の部材１と第２の部材２とを接続する板形状の継ぎ手３を備える。第１及び第２の部材１、２は、第１の部材１の係合凹部１４と、第２の部材２の係合凸部２５との係合手段を介して相互に着脱自在に組み合わせることができ、第２の部材２の内側に、継ぎ手３を内装した後、第１の部材１を第２の部材２に対して、第１及び第２の部材１、２相互間の係合手段を介して組み合わせる、第１及び第２の部材１、２の内側に継ぎ手３を内装しつつ組み合わせる構成にした。【選択図】図３
0003201265.tif 000002
【実用新案登録請求の範囲】
【請求項１】
先部に薬剤等から成る塗布剤の薬剤塗布部を設けるとともに基端部に凹部を形成した第１の部材と、先部に手で把持する把持部を設けるとともに基端部に凹部を形成した第２の部材と、前記第１の部材と第２の部材とを接続する板形状の継ぎ手を前記第１の部材の凹部及び第２の部材の凹部に差し込んで前記第１の部材と前記第２の部材を取り外し可能に接続し得るように構成したことを特徴とする薬剤塗布器具において、前記第１及び第２の部材は、第１の部材の内側部に設けた係合凹部と、第２の部材の内側部に設けた係合凸部とによる係合手段を介して相互に脱着自在に組み合わせることができるように構成するとともに前記第２の部材の内側に、前記継ぎ手を内装した後、当該第２の部材に対して前記第１の部材を前記第１及び第２の部材相互間の係合手段を介して組み合わせることにより、前記第１及び第２の部材の内側に継ぎ手を内装しつつ組み合わせることができるように構成したことを特徴とする薬剤塗布器具。
【請求項２】
前記継ぎ手の本体の前後両端部には、前記第１及び第２の部材の凹部に着脱自在に装着する前後継ぎ手部を設けるとともに当該前後継ぎ手部は本体の水平面に対する水平方向間の弾性作用により、前記第１及び第２の部材の凹部に対する装着状態を維持することができるように構成したことを特徴とする請求項１記載の薬剤塗布器具。
【請求項３】
前記継ぎ手の前後継ぎ手部は、複数体の係合片を並設するとともに当該各係合片の継ぎ手の本体の水平面に対する水平方向間における湾曲状態による弾性作用により、前記第１及び第２の部材の凹部に対する装着状態を維持することができるように構成したことを特徴とする請求項１または２記載の薬剤塗布器具。
【請求項４】
先部に薬剤等からなる塗布剤の薬剤塗布部を設けるとともに基端部に凹部を形成した第１の部材と、先部に手で把持する把持部を設けるとともに基端部に凹部を形成した第２の部材と、前記第１の部材と第２の部材とを接続する板形状の継ぎ手を備え、前記継ぎ手を前記第１の部材の凹部及び第２の部材の凹部に差し込んで前記第１の部材と前記第２の部材を取り外し可能に接続し得るように構成したことを特徴とする薬剤塗布器具において、
前記第１及び第２の部材の凹部には、それぞれ前記継ぎ手の係合片の係合突起との脱着自在に係合する係合穴を設けるとともに、
前記継ぎ手の前後両端部には、前記第１及び第２の部材の凹部に設けた係合穴に脱着自在に係合する係合突起を突設した弾性部材から成る係合片を具備する前後継ぎ手部を設け、
前記継ぎ手の前後継ぎ手部の係合片を、前記第１及び第２の部材の凹部に差し込んで、前後継ぎ手部の係合片の係合突起を、それぞれ第１及び第２の部材の凹部の係合穴に着脱自在に係合しつつ前記第１の部材と第２の部材を取り外し可能に接続できるように構成したことを特徴とする薬剤塗布器具。
【請求項５】
前記第１及び第２の部材の凹部は、それぞれ前記係合穴に連通する係合溝を設け、前記継ぎ手の前後継ぎ手部の係合片を、前記第１及び第２の部材の凹部に差し込む際には、当該係合溝を介して係合するとともに係合片の係合突起を第１及び第２の部材の凹部に継ぎ手を差し込むことができるように構成したことを特徴とする請求項４記載の薬剤塗布器具。
【請求項６】
前記継ぎ手の前後継ぎ手部の係合片の係合突起は、前記第１及び第２の凹部の係合穴との係合部にＲ部を設けることにより構成したことを特徴とする請求項４または５記載の薬剤塗布器具。
【請求項７】
前記継ぎ手の前後継ぎ手部は、第１及び第２の部材の凹部に脱着自在に装入する前記係合突起を突設した係合片と、当該係合片の左右両側に設けた左右補助係合片とから形成し、当該前後継ぎ手部を第１及び第２の凹部に脱着自在に装入することができるように構成したことを特徴とする請求項４〜６記載の薬剤塗布器具。
【請求項８】
前記第２の部材には、吊り下げ用の吊り下げ穴を設けるように構成したことを特徴とする請求項１〜７記載の薬剤塗布器具。
【請求項９】
前記第１及び第２の部材の部材本体は、基端部の水平面Ｐに対して所定の角度αの下側方向に折曲することにより構成したことを特徴とする請求項１〜８記載の薬剤塗布器具。
【請求項１０】
前記塗布部は発泡ウレタンまたはその他のスポンジ性合成樹脂材料にて、その表面に薬剤塗布面をエンボス加工したスポンジ層を固着することにより構成したことを特徴とする請求項１〜９記載の薬剤塗布器具。
【考案の詳細な説明】
【技術分野】
【０００１】
本考案は、クリーム、乳液、ローション等の外用剤からなる薬剤等を後背部や腰部など手の届きにくい部所に自分自身で塗ることができる薬剤塗布器具に関する。
【背景技術】
【０００２】
一般に、後背部や腰部など手の届きにくい部所に外用剤を塗る際、自分自身では必要な部所に的確かつ万遍なく均一に塗ることが難しく、他人に依存しなければならない場合が多かった。
【０００３】
そこで、従来、前記部所に自分自身で外用剤を塗ることのできる塗布器具が提案されている。例えば、孫の手の把持部の端部に薬剤を塗布するためのパフ保持盤を設けた薬剤を塗布する物が提案されている（特許文献１参照）。
【０００４】
また、塗布用のスポンジを開口部に取り付けた液状薬容器を保持した固定柄と手で握る可動柄を接続し、可動柄を固定柄に対して折り畳み可能にしてバックなどに入れて携帯に便利な液状薬塗布具が提案されている（特許文献２参照）。
【０００５】
さらに、不織布等で表面層を形成し、この表面層に薬液を貯めておく凹部を形成するとともに、表面層の下にスポンジからなるクッション層を設け、このクッション層をベース板に取り付けて、ベース板を手にて直接保持して薬液を患部に塗布する塗布器具が提案されている（特許文献３参照）。
【０００６】
また、本願出願人は、塗布部を設けた第１の部材と手で把持する第２の部材をヒンジで接続して折り畳み可能とした薬剤塗布器具を提案している（特許文献４参照）。
【０００７】
しかしながら、前記特許文献１（登録実用新案第３０８８７２８号公報）にあっては、棒状で携帯に不便であり、室内での使用に限定されるという問題があった。
【０００８】
また、前記特許文献２（登録実用新案第３０３５８７６号公報）にあっては、可動柄を折り畳んでバックなどにより携帯可能であるが、この際に液状薬容器に蓋をしなければならないという行為が必要であり、また、液状薬容器を保持しているので固定柄と可動柄を同じ長さにでないため、折り畳んだ際に全体を半分の長さにできず、バックなどの内部で嵩張るという問題があった。
【０００９】
さらに、前記特許文献３（登録実用新案第３０８７９９９号公報）にあっては、手でベース板を持つため、手の届く範囲にしか塗れず、手の届かない部所は他人に依存しなければならい問題があった。
【００１０】
また、前記特許文献４（登録実用新案第３１０６１０８号公報）にあっては、同形状の第１の部材と第２の部材をヒンジで折り畳み可能に接続した構成であるので、折り畳むと略半分の長さになり全体の寸法をさほどとることなく、コンパクトにできることから保管面での利便性が高い等の点で優れており、例えばハンドバック等に入れて持ち運びが可能で出先でも使用することができるという利点がある。しかし、ヒンジで接続した構成であるので、第１の部材と第２の部材を開いた使用時の薬剤塗布器具の長さが一定であるという問題点があった。このため、器具寸法を長くするには第１の部材と第２の部材をそれぞれ長く形成する必要があり、結果的に折り畳んだ状態の薬剤塗布器具が長くなりコンパクト性が無くなってしまうという問題点があった。
【００１１】
よって、前記従来の問題点に鑑み、本願出願人は登録実用第３１２０９１０号の考案を提案した（特許文献５参照）。すなわち、当該実用新案は薬剤塗布部を設けた部材と把持部を設けた部材を取り外し可能に接続できるとともに、前記部材の長さ寸法を変化させることなく使用時に器具全体の寸法を任意に調整することのできる薬剤塗布器具を提供することを目的としたものである。
【先行技術文献】
【特許文献】
【００１２】
【特許文献１】登録実用新案第３０８８７２８号公報
【特許文献２】登録実用新案第３０３５８７６号公報
【特許文献３】登録実用新案第３０８７９９９号公報
【特許文献４】登録実用新案第３１０６１０８号公報
【特許文献５】登録実用新案第３１２０９１０号公報
【考案の開示】
【考案が解決しようとする課題】
【００１３】
よって本考案は、前記特許文献５（登録実用新案第３１２０９１０号公報）記載の考案の作用効果を維持するとともに第１及び第２の部材と継ぎ手間における継ぎ手操作性と強度並びに耐久性を向上するとともに器具自体の利便性を向上すべく改良することを目的とするものである。
【課題を解決するための手段】
【００１４】
本考案前記目的を達成するために 本考案の請求項１は、先部に薬剤等から成る塗布剤の薬剤塗布部を設けるとともに基端部に凹部を形成した第１の部材と、先部に手で把持する把持部を設けるとともに基端部に凹部を形成した第２の部材と、前記第１の部材と第２の部材とを接続する板形状の継ぎ手を前記第１の部材の凹部及び第２の部材の凹部に差し込んで前記第１の部材と前記第２の部材を取り外し可能に接続し得るように構成したことを特徴とする薬剤塗布器具において、前記第１及び第２の部材は、第１の部材の内側部に設けた係合凹部と、第２の部材の内側部に設けた係合凸部とによる係合手段を介して相互に脱着自在に組み合わせることができるように構成するとともに前記第２の部材の内側に、前記継ぎ手を内装した後、当該第２の部材に対して前記第１の部材を前記第１及び第２の部材相互間の係合手段を介して組み合わせることにより、前記第１及び第２の部材の内側に継ぎ手を内装しつつ組み合わせることができるように構成したことを特徴とする。
【００１５】
本考案の請求項２は、請求項１において、前記継ぎ手の本体の前後両端部には、前記第１及び第２の部材の凹部に着脱自在に装着する前後継ぎ手部を設けるとともに当該前後継ぎ手部は本体の水平面に対する水平方向間の弾性作用により、前記第１及び第２の部材の凹部に対する装着状態を維持することができるように構成したことを特徴とする。
【００１６】
本考案の請求項３は、請求項１または２において、前記継ぎ手の前後継ぎ手部は、複数本の係合片を並設するとともに当該各係合片の継ぎ手の本体の水平面に対する水平方向間における湾曲状態による弾性作用により、前記第１及び第２の部材の凹部に対する装着状態を維持することができるように構成したことを特徴とする。
【００１７】
本考案の請求項４は、先部に薬剤等からなる塗布剤の薬剤塗布部を設けるとともに基端部に凹部を形成した第１の部材と、先部に手で把持する把持部を設けるとともに基端部に凹部を形成した第２の部材と、前記第１の部材と第２の部材とを接続する板形状の継ぎ手を備え、前記継ぎ手を前記第１の凹部及び第２の部材の凹部に差し込んで前記第１の部材と第２の部材を取り外し可能に接続し得るように構成したことを特徴とする薬剤塗布器具において、前記第１及び第２の部材の凹部には、それぞれ前記継ぎ手の係合片の係合突起との脱着自在に係合する係合穴を設けるとともに、前記継ぎ手の前後両端部には、前記第１及び第２の部材の凹部に設けた係合穴に着脱自在に係合する係合突起を突設した弾性部材から成る係合片を具備する前後継ぎ手部を設け、前部継ぎ手の前後継ぎ手部の係合片を、前記第１及び第２の部材の凹部に差し込んで前後継ぎ手部の係合片の係合突起をそれぞれ第１及び第２の部材の凹部の係合穴に着脱自在に係合しつつ前記第１の部材と第２の部材を取り外し可能に接続できるように構成したことを特徴とする。
【００１８】
本考案の請求項５は、請求項４において、前記第１及び第２の部材の凹部は、それぞれ前記係合穴に連通する係合溝を設け、前記継ぎ手の前後継ぎ手部の係合片を、前記第１及び第２の部材の凹部に差し込む際には、当該係合溝を介して係合するとともに係合片の係合突起を第１及び第２の部材の凹部に継ぎ手を差し込むことができるように構成したことを特徴とする。
【００１９】
本考案の請求項６は、請求項４または５において、前記継ぎ手の前後継ぎ手部の係合片の係合突起は、前記第１及び第２の凹部の係合穴との係合部にＲ部を設けることにより構成したことを特徴とする。
【００２０】
本考案の請求項７は、請求項４〜６において、前記継ぎ手の前後継ぎ手部は、第１及び第２の部材の凹部に着脱自在に装入する前記係合突起を突設した係合片と、当該係合片の左右両側に設けた左右補助係合片とから形成し、当該前後継ぎ手部を第１及び第２の部材の凹部に脱着自在に装入することができるように構成したことを特徴とする。
【００２１】
本考案の請求項８は、請求項１〜７において、前記第２の部材には、吊り下げ用の吊り下げ穴を設けるように構成したことを特徴とする。
【００２２】
本考案の請求項９は、請求項１〜８において、前記第１及び第２の部材の部材本体は、基端部の水平面Ｐに対して所定の角度αの下側方向に折曲することにより構成したことを特徴とする。
【００２３】
本考案の請求項１０は、請求項１〜９において、前記塗布部は発砲ウレタンまたはその他のスポンジ性合成樹脂材料にて、その表面に薬剤塗布面をエンボス加工したスポンジ層を固着することにより構成したことを特徴とする。
【００２４】
本考案の請求項１または４によれば、特許文献５（登録実用新案第３１２０９１０号公報）における以下の作用効果を奏する。
すなわち、使用時に第１の部材と第２の部材を継ぎ手を介して接続し、手の届きにくい後背部や腰部等の部所に自分自身で容易かつ確実に薬剤を塗布することができる。また、第１の部材と第２の部材は、継ぎ手を介して取り外し可能に接続してあるので、第１の部材と第２の部材を取り外して保管でき、また持ち運ぶことができる。
【００２５】
また、本考案の請求項４によれば、前記特許文献５における作用効果に加えて同文献５との改良点とともに以下の作用効果を奏する。
すなわち、第１及び第２の部材を板形状の継ぎ手を介して取り外し可能に接続する接続手段を前記継ぎ手に前後継ぎ手部を設け、当該前後継ぎ手部の弾性作用により第１及び第２の凹部に対する装着状態を維持するか、又は第１及び第２の部材の凹部には、係合穴を設ける一方、継ぎ手の前後両端部には、第１及び第２の部材の凹部に設けた係合穴に脱着自在に係合する弾性部材から成る係合突起を突設した係合片を具備する前後継ぎ手部を設けることにより構成し、当該接続手段を介して、前記第１及び第２の部材を継ぎ手を介して取り外し可能に接続することができるように改良したものである。
【００２６】
従って、第１及び第２の部材と継ぎ手との接続部における接続強度を向上し薬剤塗布時の操作性を向上することができる。
また、それと同時に第１及び第２の部材の凹部と継ぎ手の前後継ぎ手部との脱着操作を前後継ぎ手部に具備する弾性部材から成る係合片の係合突起をその弾性作用を介して係合穴に対する係合、脱離操作によって操作することにより第１及び第２の部材の凹部と継ぎ手の前後継ぎ手部における脱着をその都度確認しつつ的確かつスムーズに行うことができる。
これらの改良点は、特に当該薬剤塗布器具の利用上、年配者における使用利便性を向上することができる。
【００２７】
また、本考案の請求項１によれば、前記した特許文献５における作用効果を奏することができることに加えて、当該薬剤塗布器具の反復継続して使用する簡便性を向上するとともに携行性を向上することができ、年配者における使用利便性の向上にも役立つものである。
【００２８】
しかも、第１及び第２の部材との係合手段を介して継ぎ手を両部材の内側に内装しつつ組み合わせることができるので、当該薬剤塗布器具の製品梱包をコンパクトにでき、製品の保管、運搬やその他取扱上の管理性を向上することができる。
【００２９】
本考案の請求項５によれば、第１及び第２の部材の凹部と継ぎ手の前後継ぎ手部との接続手段における接続操作に際して、係合片の凹部に対する係合、離脱を係合穴に連通する係合溝を介して遂行することができ、第１及び第２の部材の凹部に対する継ぎ手の前後継ぎ手部の差し込み、抜脱操作をスムーズかつ的確、簡便に行うことができる利点を有する。
【００３０】
そして、本考案の請求項６によれば、第１及び第２の部材の凹部と継ぎ手の前後継ぎ手部の接続手段における接続操作に際して、係合片に備える弾性作用に加えて、前後継ぎ手部の係合片の係合突起の構成上、係合穴との係合部にＲ部を設けることにより、係合突起の係合穴に対する係合、離脱作用を助長することができ、第１及び第２の部材と継ぎ手との接続、抜脱操作性能を向上することができる。
【００３１】
本考案の請求項７によれば、第１及び第２の部材と継ぎ手との接続手段の構成上、継ぎ手の前後継ぎ手部の係合片の左右両側に設けた左右補助係合片とともに凹部に装入することにより、第１及び第２の凹部と継ぎ手の前後継ぎ手部相互間における接続強度を向上することができ、特に凹部と継ぎ手部の横幅方向の強度を堅固なものとすることができることによって、第１の部材の薬剤塗布部による薬剤塗布操作時の横ブレをなくし塗布操作を的確に行うことができる。
【００３２】
本考案の請求項８によれば、第２の部材の吊り下げ穴を介して薬剤塗布器具の使用時の保管、管理を簡便にすることができ、特に第１の部材の薬剤塗布部の使用後における洗浄後の乾燥を吊り下げて行うことができる。
【００３３】
本考案の請求項９によれば、薬剤塗布器具の使用に際して、全体を継ぎ手の板形状面の前後継ぎ手部により第１及び第２の部材を所要角度に折曲するＣ字状に接続した構成とすることにより第１の部材の薬剤塗布部による塗布操作をし易くすることができる利点を有する。
【００３４】
本考案の請求項１０によれば、エンボス加工したスポンジ層による薬剤塗布部を形成することにより、当該塗布部に塗布される薬剤等の流れ落ちるのを抑制し、薬剤塗布操作をし易くするとともに塗布後、当該器具の使用後における当該塗布部面を洗浄、乾燥する際の作業の利便性を向上することができる。
【００３５】
本考案の実施に当たっては、第１及び第２の部材及び両部材を板形状の継ぎ手を介して、第１の部材の薬剤塗布部と第２の部材のハンドル部材を取り外し可能に接続するに当たり、第１及び第２の部材の基端部に設けた凹部に継ぎ手の前後継ぎ手部をその弾性作用を介して着脱自在に係合（接続）するか、又は第１及び第２の部材の凹部に係合穴を設けるとともに継ぎ手の前後両端部に、弾性を有する係合片に係合突起を設け、凹部の係合穴に係合片の係合突起を当該係合片の弾性によって、脱着自在に係合することができるように構成する。
【００３６】
また、前記第２の部材の内側に前記継ぎ手を内装するとともに前記第１の部材を第２の部材に対して分離自在に組み合わせることができるように構成する。
【実施例１】
【００３７】
以下には、本考案の実施例１を図１〜図４とともに説明する。
【００３８】
図１は本考案の薬剤塗布器具Ａの組み合わせ状態を示し、同図（ａ）は平面図、同図（ｂ）は同背面図、同図（ｃ）は側面図、図２は本考案の薬剤塗布器具Ａを分離した状態を示し、同図（ａ）は第１の部材の平面図、同図（ｂ）は第２の部材の平面図、同図（ｃ）は継ぎ手の平面図、同図（ｄ）は係合片の湾曲状態を示す部分側断面図、図３は本考案の薬剤塗布器具Ａの使用状態を示し、同図（ａ）は平面図、同図（ｂ）は側面図である。
【００３９】
図４（ａ）は第１及び第２の部材の凹部の正面図、同図（ｂ）は同凹部に継ぎ手の前後継ぎ手部を装着した側面図、図５は第１及び第２の部材の組み合わせ状態における第１の部材の内側に設けた係合凹部と第２の部材の内側に設けた係合凸部との係合状態を示す図１（ｃ）のａ−ａ線側断面図である。
【００４０】
図１、２に示す通り本考案の実施例１における薬剤塗布器具Ａは、第１の部材１、第２の部材２及び両部材１、２を接続する板形状の継ぎ手３とから構成される。
【００４１】
そして第１の部材１は、部材本体１０の内側に薬剤塗布部１１を設けるとともに基端部１２には、前記継ぎ手３の前後継ぎ手部３１、３２のいずれかを脱着自在に装着する挿入口１３ａを有する凹部１３を設け、さらに部材本体１０の内側に前記凹部１３の近傍に第２の部材２との係合用の係合凹部１４を突設し合成樹脂材料により一体に形成されている。
【００４２】
また、前記薬剤塗布部１１は、部材本体１０とは別部材であるスポンジ性の合成樹脂材により、表面に薬剤塗布面の所要の凹凸形状から成る薬剤塗布面１５をエンボス加工したスポンジ層（必要に応じて抗菌性スポンジを使用する）を添着、固着することにより形成する。
【００４３】
かかる薬剤塗布面１５のエンボス加工は、同面１５に塗布される薬剤等の被塗布剤の流れ落ちを抑制することができるように考慮して加工することが望ましい。
そして、前記部材本体１０の外周には、第２の部材２との係合縁１６が設けられている。
【００４４】
さらに、当該部材本体１０は図１（ｃ）に示す通り基端部１２の水平面Ｐに対してα度（所要の角度）の下側方向に折曲して形成されている。
【００４５】
他方、第２の部材２は、部材本体２０自体を手に握持しやすい形状から成るハンドル部２１として形成するとともに、当該部材本体２０の外周に第１の部材１との係合縁２２を設け、この内側に前記板形状の継ぎ手３を内包し得るように構成し、さらにその基端部２３には継ぎ手３の前後継ぎ手部３１、３２のいずれかを脱着自在に装着する挿入口２４ａを有する凹部２４を設けるとともに部材本体２０の前記凹部２４近傍に前記第１の部材１の係合凹部１４に係合する係合凸部２５を突設し、かつ部材本体２０の先端部側には薬剤塗布器具Ａの使用状態における薬剤塗布器具Ａを吊り下げるための吊り下げ穴２６を設け合成樹脂材料により一体に形成されている。
【００４６】
また、前記第１の部材１と同様に図１（ｃ）に示す通り基端部２３の水平面Ｐに対して部材本体２０（ハンドル部２１）をα度（所要角度、但し第１の部材１の折曲角度αに対応した角度とする）折曲した状態にて形成する。
【００４７】
そして、前記継ぎ手３は本体３０の前後両端部に前記第１及び第２の部材１、２の凹部１３、２４に脱着自在に装着する前後継ぎ手部３１、３２を形成し、平板形状にて合成樹脂材料にて一体に形成されている。
【００４８】
また、前記前後継ぎ手部３１、３２は３本の係合片３３を並設することにより、継ぎ手部３１、３２に弾力性を付与し第１及び第２の部材１、２の凹部１３、２４に対する装着状態の維持及び脱着操作性を向上することができるように構成されている。
【００４９】
すなわち、３本の係合片３３は、継ぎ手３の本体３０の水平面に対して水平方向間に湾曲して弾性作用を付与することにより、継ぎ手部３１、３２に弾力性を付与することができる。図２（ｄ）に示す通り、並設する中央の係合片３３ａを左右両側の水平な係合片３３ｂ、３３ｃに対して上側方向に湾曲させて、上下方向に弾性作用を付与して形成する。
又、３本の係合片３３ａ〜ｃ相互間の湾曲状態に変化をつけることにより、各係合片３３ａ〜ｃの水平面に対する湾曲状態による弾性力の違いによる弾性作用を付与することも可能である。
【００５０】
以上の構成から成る本考案の薬剤塗布器具Ａにおいて、これを製品として包装したり、使用時の携行に際しては、図１に示す通り前記第１及び第２の部材１、２と継ぎ手３を組み合わせることができる。
【００５１】
すなわち、図２の第１及び第２の部材１、２と継ぎ手３を図２（ｂ）に示す通り第２の部材２の部材本体２０の内側に点線で示す状態に継ぎ手３を内装した後、当該第２の部材２に対して第１の部材１をその係合縁１６を第２の部材２の係合縁２２に係合しつつ重ね合わせるとともに、図５に示すように第１の部材１の係合凹部１４を第２の部材２の係合凸部２５に係合することにより、両部材１、２の内側に継ぎ手３を内装した状態にて組み合わせることができる（図１参照）。
【００５２】
従って、図１の状態に組み合わせた薬剤塗布器具Ａを図示しない包装箱内に包装しつつ製品として管理をすることができるとともに、使用者は同状態の薬剤塗布器具Ａを保管あるいはハンドバッグ等にて携行することができる。
【００５３】
また、前記組み合わせ状態の薬剤塗布器具Ａを使用する場合には、図１の薬剤塗布器具Ａを第１の部材１と第２の部材２を係合凹部１４より係合凸部２５を抜脱しつつ分離するとともに内装した継ぎ手３を取り出して、図４に示すように当該継ぎ手３の前側の継ぎ手部３１を第１の部材１の凹部１３の挿入口１３ａに装入するとともに後側の継ぎ手部３２を第２の部材２の凹部２４の挿入口２４ａに装入することにより、継ぎ手３の前後継ぎ手部３１、３２に第１及び第２の部材１、２の基端部１２、２３を装着する。
【００５４】
すなわち、図３に示すように継ぎ手３を介して第１及び第２の部材１、２を接続することができる。
但し、第１の部材１の凹部１３を継ぎ手３の継ぎ手部３１に装着する場合には、図３に示すように部材本体１０の内側面１０ａを上向きに、背面１０ｂを下向きにして装着するとともに、第２の部材２の凹部２４を継ぎ手部３２に装着する場合には、部材本体２０の内側面２０ａを下向きに、背面２０ｂを上向きにして装着する。
【００５５】
よって、第１及び第２の部材１、２は、基端部１３、２３の水平面Ｐよりα度折曲して部材本体１０、２０が形成されているので、図３の接続状態は継ぎ手３を介して側面から見て、図３（ｂ）に示すようにＣ字状（全体を湾曲する状態）に接続することができる。
【００５６】
また、Ｃ字状に接続された薬剤塗布器具Ａの薬剤塗布部１１に所要の薬剤を塗布した後、第２の部材２のハンドル部２１を握持し背中等の所要部位に所要の薬を塗布するものである。
【００５７】
この塗布操作は薬剤塗布器具Ａにより通常自分自身では塗布できないかしづらい部位への薬剤塗布を容易に行うことができる利便性を発揮することができる。
特に、前記図３（ｃ）のＣ字状に接続した状態の薬剤塗布器具Ａの場合、さらに塗布操作を容易かつ的確に行うことができる利点を奏する。
【００５８】
また、薬剤塗布部１１は、薬剤等の流れ落ちを抑制し得るエンボス加工が施してあるので塗布操作を助長することができるとともに、使用後に当該薬剤塗布面を洗浄、乾燥する際には第２の部材２の吊り下げ穴２６を介して適所に吊り下げつつ乾燥することができ、かつ使用中の保管をも当該吊り下げ効果が役立つものである。
【実施例２】
【００５９】
図６〜図１０は、本考案の実施例２を示すもので、図６（ａ）は薬剤塗布器具Ｂを分離した状態を示す第１の部材の平面図、同図（ｂ）は同第２の部材の平面図、同図（ｃ）は継ぎ手の平面図、図７（ａ）は薬剤塗布器具Ｂの使用状態を示す平面図、同図（ｂ）は同側面図、図８は薬剤塗布器具Ｂの組み合わせ状態における第１及び第２の部材の凹部の端面図、図９（ａ）は継ぎ手の平面図、同図（ｂ）は裏面図、同図（ｃ）は側面図、同図（ｄ）は部分側断面図、図１０（ａ）は第１の部材の凹部と継ぎ手の継ぎ手部との接続状態を示す部分平面図、同図（ｂ）は同部分側断面図である。
【００６０】
本考案の実施例２は、実施例１の薬剤塗布器具Ａにおける、第１及び第２の部材１、２と継ぎ手３の接続手段を変更した実施例である。
すなわち、実施例１の薬剤塗布器具Ａの第１及び第２の部材１、２の凹部１３、２４と継ぎ手３の前後継ぎ手部３１、３２の構成を変更したもので、以下にはその変更した構成を図６〜１０とともに説明する。
【００６１】
尚、その他の構成は実施例１の構成と同一であるので説明を省略し、図中の同一構成部分は、同一番号を付して説明を省略する。
【００６２】
実施例２の薬剤塗布器具Ｂの第１及び第２の部材１、２と継ぎ手３の組み合わせの構成は、実施例１の薬剤塗布器具Ａの構成と同一の構成で、図１の構成と同一であり、その組み合わせ方法は実施例１と同一の方法により実施することができるため具体的な図と説明を省略する。
【００６３】
さて、本実施例２の薬剤塗布器具Ｂの第１及び第２の部材１、２の凹部１３、２４と継ぎ手３の前後継ぎ手部３１、３２の接続手段の構成について説明すると、第１及び第２の部材１、２の凹部１３、２４には、それぞれ継ぎ手３の継ぎ手部３１、３２の係合片３４の係合突起３５を係合する係合穴１７、２７を設けるとともに、当該係合穴１７、２７に連通するガイド溝１８、２８を設ける。
そして、継ぎ手３の前後継ぎ手部３１、３２の係合片３４には、前記第１及び第２の部材１、２の凹部１３、２４の係合穴１７、２７に脱着自在に係合することができる係合突起３５を突設することにより構成する。
【００６４】
また、前記第１及び第２の部材１、２の凹部１３、２４の係合穴１７、２７には、前記継ぎ手３の前後継ぎ手部３１、３２の係合片３４に設けた係合突起３５との係合縁１７ａ、２７ａを肉薄に形成することにより、係合片３４の装入、抜脱操作時の係合突起３５の係合、離脱作用を助長することができるように構成してある。
【００６５】
他方、継ぎ手３の前後継ぎ手部３１、３２に設ける係合片３４については、当該係合片３４自体に弾性作用を付与することができるように形成されている。
すなわち、図示の実施例では、図９（ｄ）に示す通り、継ぎ手３自体を合成樹脂材料により一体に形成するものであり、前後継ぎ手部３１、３２の係合片３４については、両継ぎ手部３１、３２より突設基端３４ａより係合突起３５の突設部に至る長さ方向間の肉厚を漸次肉薄３４ｂに形成するとともに係合突起３５は、前記係合穴１７、２７の係合縁１７ａ、２７ａとの係合部３５ａにＲ部を設け係合穴１７、２７との係合、離脱作用を助長することができるように形成し、さらに装入口１３ａ、２４ａへの挿入操作を助長する係入斜面３５ｂを設けることにより形成されている。
【００６６】
そして、前記継ぎ手３の前後継ぎ手部３１、３２は、実施例１と同様に３本の係合片により形成するが係合片３４の左右両側には、左右補助係合片３６、３７により第１及び第２の部材１、２の凹部１３、２４との継ぎ手３の接続状態における横ブレを防止し接続状態を安定にして使用時における薬剤の塗布作業を適確に行うことができるように構成したものである。
【００６７】
尚、継ぎ手３の前後継ぎ手部３１、３２における係合片３４に突設する係合突起３５は、第１及び第２の部材１、２の凹部１３、２４に係合穴１７、２７の面が組み合わせ構成状態から図８に示す通り対向面に形成されているので、一方の前継ぎ手部３１の係合突起３５は上向きに形成する（図９（ａ）参照）とともに他方の後継ぎ手部３２の係合突起３５は下向きに形成されている（図９（ｂ）参照）。
【００６８】
また、係合片３４については肉厚を漸次肉薄に形成することにより弾性作用を付与する構成について説明したがその他の弾性手段、例えば係合片３４を板バネ等の弾性片により形成する等他の手段により実施することも可能である。
そして、左右補助係合片３６、３７による補助作用を得る構成についても係合片３４自体を幅広の係合片により形成することにより必ずしも３本の係合片による構成に限定されるものではない。
【００６９】
以上の構成から成る本考案の実施例２の薬剤塗布器具Ｂの場合にも、実施例１の薬剤塗布器具Ａと同様に、合成樹脂材にて図６の分離状態のそれぞれの第１の部材１、第２の部材２及び継ぎ手３を別体に一体形成する。
そして、図６の各部材１、２及び３を組み合わせる場合に、継ぎ手３を第２の部材２の係合縁２２内側に内装した後、当該第２の部材２に対して第１の部材１を薬剤塗布部１１側を内側にして外側の係合縁１６を第２の部材２の係合縁２２に突合するとともに第２の部材２の係合突部２５に第１の部材１の係合凹部１４を嵌合する（図５参照）ことにより第１及び２の部材１、２を互いに嵌合させつつ継ぎ手３を両部材１、２間に内装した状態に組み合わせることができる。
【００７０】
かかる構成については前記した通り薬剤塗布器具Ａと同様で、同構成の組み合わせ状態に製品として包装状態にして管理することができ、同状態にて使用中の保管あるいはハンドバッグ等にて携行することができる至便性を発揮する。
【００７１】
また、前記組み合わせ状態の薬剤塗布器具Ｂの使用時に際しては、実施例１の薬剤塗布器具Ａの場合のように、継ぎ手３の前後継ぎ手部３１、３２を第１及び第２の部材１、２の凹部１３、２４に装着して、図３（ａ）、（ｂ）の使用状態に接続して使用するのであるが、継ぎ手３の前後継ぎ手部３１、３２を第１及び２の部材１、２の凹部１３、２４に装着する場合には、前後継ぎ手部３１、３２の係合片３４に備える係合突起３５を、第１及び第２の部材１、２の凹部１３、２４に備えるガイド溝１８、２８に係合するとともに当該ガイド溝１８、２８にガイドされつつ係入されると同ガイド溝１８、２８に連通する係合穴１７、２７に係合片３４の弾性にて係合突起３５を係合することができる（図１０（ａ）、（ｂ）参照）。
【００７２】
そして、係合片３４は突設基端３４ａより前方の肉薄３４ｂにより弾性作用が働き、第１及び第２の部材１、２の装入口１３ａ、２４ａよりガイド溝１８、２８に強制的に装入することが可能で、かつこの装入口１３ａ，２４ａよりガイド溝１８，２８への装入に際しては、係合突起３５の係入斜面３５ｂが装入口１３ａ、２４ａのガイド溝１８、２８への係入を助長し、装入を容易、正確に行うことができる。
【００７３】
さらに、前記係合片３４の係合突起３５の第１及び第２の部材１、２の凹部１３、２４の係合片３４の左右両側に備える左右補助係合片３６、３７によって、継ぎ手３の前後継ぎ手部３１、３２の左右幅方向の係合が、装入口１３ａ、２４ａ間に於いて、規制されることにより係合操作を容易かつ的確に遂行し得る。
【００７４】
また、当該第１及び第２の部材１、２と継ぎ手３の接続状態は、図７（ａ）、（ｂ）に示す通りで、実施例１の薬剤塗布器具Ａと同様の使用が可能である。
特に、第１及び第２の部材１、２と継ぎ手３との接続は、継ぎ手３の前後継ぎ手部３１、３２の係合片３４の係合突起３５を第１及び第２の部材１、２の凹部１３、２４の係合穴１７、２７に係合しつつ接続するもので接続状態を堅固にし、薬剤塗布作業の安定性を確保することができる。
【００７５】
また、係合片３４の左右補助係合片３６、３７の凹部１３、２４に対する係合により薬剤塗布時に横ブレするのを防止する。
【００７６】
そして、使用後に第１及び第２の部材１、２と継ぎ手３の接続状態を解除する際の凹部１３、２４より前後継ぎ手部３１、３２の技脱操作は、第１及び第２の部材１、２を片手にて保持しつつ継ぎ手３の前後継ぎ手部３１、３２に対して引抜力（抜脱力）を加えることにより、係合片３４の弾性作用に加えて係合突起３５の係合穴１７、２７の係合縁１７ａ、２７ａとの係合が係合部３５ａのＲ部の作用と係合縁１７ａ、２７ａの肉薄部の作用とが相伴って（相乗作用により）離脱され、凹部１３、２４のガイド溝１８、２８を介して前後継ぎ手部３１あるいは３２を第１あるいは第２の部材１、２の凹部１３、２４より引き抜き分離することができる。
尚、継ぎ手３の第１及び第２の部材２の凹部１３、２４よりの引き抜きはそれぞれ個別に遂行するものである。
【図面の簡単な説明】
【００７７】
【図１】（ａ）は薬剤塗布器具Ａの組み合わせ状態を示す平面図、（ｂ）は同背面図、（ｃ）は同側面図である。
【図２】（ａ）は薬剤塗布器具Ａを分離した状態を示す第１の部材の平面図、（ｂ）は同第２の部材の平面図、（ｃ）は同継ぎ手の平面図、（ｄ）は部分側断面図である。
【図３】（ａ）は薬剤塗布器具Ａの使用状態を示す平面図、（ｂ）は同側面図である。
【図４】（ａ）は第１及び第２の部材の凹部の正面図、（ｂ）は同凹部に継ぎ手の前後継ぎ手を装着した側断面図である。
【図５】第１及び第２の部材の組み合わせ状態における第１の部材の係合凹部と第２の部材の係合突部との係合状態を示す図１（ｃ）ａ−ａ線側断面図である。
【図６】（ａ）は薬剤塗布器具Ｂを分離した状態を示す第１の部材の平面図、（ｂ）は同第２の部材の平面図、（ｃ）は継ぎ手の平面図である。
【図７】（ａ）は薬剤塗布器具Ｂの使用状態を示す平面図、（ｂ）は同側面図である。
【図８】薬剤塗布器具Ｂの組み合わせ状態における第１及び第２の部材の凹部の端面図である。
【図９】（ａ）は継ぎ手の平面図、（ｂ）は裏面図、（ｃ）は側面図、（ｄ）は部分側断面図である。
【図１０】（ａ）は第１の部材の凹部と継ぎ手の継ぎ手部との接続状態を示す部分平面図、（ｂ）は同部分側断面図である
【符号の説明】
【００７８】
１              第１の部材
２              第２の部材
３              継ぎ手
１０、２０      部材本体
１１            薬剤塗布部
１２、２３      基端部  
１３、２４      凹部
１３ａ、２４ａ  装入口
１４            係合凹部
１５            薬剤塗布面
１６、２２      係合縁
１７、２７      係合穴
１７ａ、２７ａ  係合縁
１８、２８      ガイド溝
２５            係合凸部
２６            吊り下げ穴
３０            本体
３１            前継ぎ手部
３２            後継ぎ手部
３３、３３ａ〜ｃ  係合片
３４            係合片
３４ａ          突設基端
３４ｂ          肉薄
３５            係合突起
３５ａ          係合部（Ｒ部）
３５ｂ          係入斜面
３６            左側補助係合片
３７            右側補助係合片
【図１】
0003201265.tif 000003
【図２】
0003201265.tif 000004
【図３】
0003201265.tif 000005
【図４】
0003201265.tif 000006
【図５】
0003201265.tif 000007
【図６】
0003201265.tif 000008
【図７】
0003201265.tif 000009
【図８】
0003201265.tif 000010
【図９】
0003201265.tif 000011
【図１０】
0003201265.tif 000012